【手続補正書】
【提出日】平成26年4月21日(2014.4.21)
【手続補正１】
【補正対象書類名】特許請求の範囲
【補正対象項目名】全文
【補正方法】変更
【補正の内容】
【特許請求の範囲】
【請求項１】
健診科目用の装置として動作する端末であり、健診科目での健診の結果を示す健診情報を、各健診科目の健診情報が記録される記録媒体に記録する他の健診科目の端末と通信可能な端末であって、
前記端末が前記健診科目用の装置として動作する当該健診科目よりも後に受診すべき前記他の健診科目の端末を示す端末指定情報を記憶する記憶手段と、
前記他の健診科目の端末と通信する端末間通信手段と、
前記端末が前記健診科目用の装置として動作する当該健診科目の健診の結果を示す健診情報の入力を受け付ける健診情報入力手段と、
前記端末が前記健診科目用の装置として動作する当該健診科目よりも後に受診すべき前記他の健診科目の端末から、当該他の健診科目の健診の結果を示す健診情報と前記健診情報入力手段により入力を受け付けた健診情報とを前記記録媒体に記録させるべく、前記記憶手段に記憶されている端末指定情報により示される前記他の健診科目の端末に、前記端末間通信手段による通信を用いて、前記健診情報入力手段により入力を受け付けた健診情報を送信する端末送信手段と、
を備えることを特徴とする端末。
【請求項２】
前記端末は、健診科目の健診機器と共に用いられ当該健診科目用の装置として動作する端末であり、
前記健診情報入力手段は、当該健診科目の健診情報として当該健診科目の健診機器で測定された結果の入力を受け付けることを特徴とする請求項１に記載の端末。
【請求項３】
前記端末は、複数の健診科目のそれぞれの健診機器と共に用いられ、前記複数の健診科目のそれぞれの健診科目用の装置として動作する端末であり、
前記記憶手段は、更に、前記複数の健診科目のそれぞれに対して、該それぞれの健診科目の健診機器と共に用いられる該それぞれの健診科目用の装置として動作する動作方法が定められた動作モードが関連付けられた関連付情報を記憶し、
前記記憶手段に記憶された関連付情報により前記動作モードと関連付けられている複数の健診科目の中から健診科目の選択を受け付ける受付手段と、
前記記憶手段に記憶された関連付情報に従って、前記受付手段で受け付けた健診科目に対する動作モードを決定する決定手段と、
を更に備え、
前記健診情報入力手段は、前記決定手段で決定された動作モードで、前記受付手段で受け付けた健診科目の健診情報として当該健診科目の健診機器で測定された結果の入力を受け付け、
前記端末送信手段は、前記決定手段で決定された動作モードで、前記受付手段で受け付けた健診科目よりも後に受診すべき前記他の健診科目の端末から、当該他の健診科目の健診の結果を示す健診情報と前記健診情報入力手段により入力を受け付けた健診情報とを前記記録媒体に記録させるべく、前記記憶手段に記憶されている端末指定情報により示される前記他の健診科目の端末に、前記端末間通信手段による通信を用いて、前記健診情報入力手段により入力を受け付けた健診情報を送信することを特徴とする請求項１又は２に記載の端末。
【請求項４】
前記記憶手段に記憶されている前記関連付情報により前記動作モードと関連付けられている複数の健診科目を含むメニュー画面を表示するメニュー表示手段を更に備え、
前記受付手段は、前記メニュー表示手段により表示された前記メニュー画面に含まれる複数の健診科目の中から健診科目の選択を受け付け、
前記決定手段により決定された動作モードで、前記受付手段により受け付けた健診科目用の表示画面を表示する画面表示手段を更に備え、
前記健診情報入力手段は、前記画面表示手段により当該健診科目用の表示画面を表示して、前記決定手段で決定された動作モードで、前記受付手段で受け付けた健診科目の健診情報として当該健診科目の健診機器で測定された結果の入力を受け付けることを特徴とする請求項３に記載の端末。
【請求項５】
前記健診情報入力手段により入力を受け付けた健診情報を、前記画面表示手段により表示された、前記受付手段により受け付けた健診科目用の表示画面に、表示するように制御する表示制御手段を更に備えることを特徴とする請求項４に記載の端末。
【請求項６】
前記端末は、前記記録媒体と通信可能であり、
前記健診情報入力手段により、入力を受け付けた健診情報を前記記録媒体に記録させるべく送信する送信手段を更に備えることを特徴とする請求項１乃至５の何れか１項に記載の端末。
【請求項７】
前記健診情報入力手段は、ユーザの操作に従って、健診科目の健診の結果を示す健診情報の入力を受け付けることを特徴とする請求項１乃至６の何れか１項に記載の端末。
【請求項８】
健診科目用の装置として動作する端末であり、健診科目での健診の結果を示す健診情報を、各健診科目の健診情報が記録される記録媒体に記録する他の健診科目の端末と通信可能な端末であって、当該健診科目用の装置として動作する当該健診科目よりも後に受診すべき前記他の健診科目の端末を示す端末指定情報を記憶する記憶手段を備えた端末における制御方法であって、
前記端末の端末間通信手段が、前記他の健診科目の端末と通信する端末間通信工程と、
前記端末の健診情報入力手段が、前記端末が前記健診科目用の装置として動作する当該健診科目の健診の結果を示す健診情報の入力を受け付ける健診情報入力工程と、
前記端末の端末送信手段が、前記端末が前記健診科目用の装置として動作する当該健診科目よりも後に受診すべき前記他の健診科目の端末から、当該他の健診科目の健診の結果を示す健診情報と前記健診情報入力工程により入力を受け付けた健診情報とを前記記録媒体に記録させるべく、前記記憶手段に記憶されている端末指定情報により示される前記他の健診科目の端末に、前記端末間通信工程による通信を用いて、前記健診情報入力工程により入力を受け付けた健診情報を送信する端末送信工程と、
を備えることを特徴とする制御方法。
【請求項９】
健診科目用の装置として動作する端末であり、健診科目での健診の結果を示す健診情報を、各健診科目の健診情報が記録される記録媒体に記録する他の健診科目の端末と通信可能な端末であって、当該健診科目用の装置として動作する当該健診科目よりも後に受診すべき前記他の健診科目の端末を示す端末指定情報を記憶する記憶手段を備えた端末で読み取り実行可能なプログラムであって、
前記端末を、
前記他の健診科目の端末と通信する端末間通信手段と、
前記端末が前記健診科目用の装置として動作する当該健診科目の健診の結果を示す健診情報の入力を受け付ける健診情報入力手段と、
前記端末が前記健診科目用の装置として動作する当該健診科目よりも後に受診すべき前記他の健診科目の端末から、当該他の健診科目の健診の結果を示す健診情報と前記健診情報入力手段により入力を受け付けた健診情報とを前記記録媒体に記録させるべく、前記記憶手段に記憶されている端末指定情報により示される前記他の健診科目の端末に、前記端末間通信手段による通信を用いて、前記健診情報入力手段により入力を受け付けた健診情報を送信する端末送信手段として機能させることを特徴とするプログラム。
【手続補正２】
【補正対象書類名】明細書
【補正対象項目名】発明の名称
【補正方法】変更
【補正の内容】
【発明の名称】端末、及びその制御方法、プログラム
【手続補正３】
【補正対象書類名】明細書
【補正対象項目名】０００１
【補正方法】変更
【補正の内容】
【０００１】
本発明は、端末、及びその制御方法、プログラムに関し、特に出張健診で、健診科目での健診の結果を示す健診情報を、各健診科目の健診情報が記録される記録媒体に記録するための仕組みに関する。
【手続補正４】
【補正対象書類名】明細書
【補正対象項目名】００１１
【補正方法】変更
【補正の内容】
【００１１】
本願明は、端末が、健診科目用の装置として動作する当該健診科目よりも後に受診すべき他の健診科目の端末から、当該他の健診科目の健診の結果を示す健診情報と、入力を受け付けた、当該健診科目用の装置として動作する当該健診科目の健診情報とを記録媒体に記録させるべく、当該他の健診科目の端末に、当該入力を受け付けた健診情報を送信する仕組みを提供することを目的とする。
【手続補正５】
【補正対象書類名】明細書
【補正対象項目名】００１２
【補正方法】変更
【補正の内容】
【００１２】
本発明は、健診科目用の装置として動作する端末であり、健診科目での健診の結果を示す健診情報を、各健診科目の健診情報が記録される記録媒体に記録する他の健診科目の端末と通信可能な端末であって、前記端末が前記健診科目用の装置として動作する当該健診科目よりも後に受診すべき前記他の健診科目の端末を示す端末指定情報を記憶する記憶手段と、前記他の健診科目の端末と通信する端末間通信手段と、前記端末が前記健診科目用の装置として動作する当該健診科目の健診の結果を示す健診情報の入力を受け付ける健診情報入力手段と、前記端末が前記健診科目用の装置として動作する当該健診科目よりも後に受診すべき前記他の健診科目の端末から、当該他の健診科目の健診の結果を示す健診情報と前記健診情報入力手段により入力を受け付けた健診情報とを前記記録媒体に記録させるべく、前記記憶手段に記憶されている端末指定情報により示される前記他の健診科目の端末に、前記端末間通信手段による通信を用いて、前記健診情報入力手段により入力を受け付けた健診情報を送信する端末送信手段と、を備えることを特徴とする。
【手続補正６】
【補正対象書類名】明細書
【補正対象項目名】００１３
【補正方法】変更
【補正の内容】
【００１３】
また、本発明は、健診科目用の装置として動作する端末であり、健診科目での健診の結果を示す健診情報を、各健診科目の健診情報が記録される記録媒体に記録する他の健診科目の端末と通信可能な端末であって、当該健診科目用の装置として動作する当該健診科目よりも後に受診すべき前記他の健診科目の端末を示す端末指定情報を記憶する記憶手段を備えた端末における制御方法であって、前記端末の端末間通信手段が、前記他の健診科目の端末と通信する端末間通信工程と、前記端末の健診情報入力手段が、前記端末が前記健診科目用の装置として動作する当該健診科目の健診の結果を示す健診情報の入力を受け付ける健診情報入力工程と、前記端末の端末送信手段が、前記端末が前記健診科目用の装置として動作する当該健診科目よりも後に受診すべき前記他の健診科目の端末から、当該他の健診科目の健診の結果を示す健診情報と前記健診情報入力工程により入力を受け付けた健診情報とを前記記録媒体に記録させるべく、前記記憶手段に記憶されている端末指定情報により示される前記他の健診科目の端末に、前記端末間通信工程による通信を用いて、前記健診情報入力工程により入力を受け付けた健診情報を送信する端末送信工程と、を備えることを特徴とする。
また、本発明は、健診科目用の装置として動作する端末であり、健診科目での健診の結果を示す健診情報を、各健診科目の健診情報が記録される記録媒体に記録する他の健診科目の端末と通信可能な端末であって、当該健診科目用の装置として動作する当該健診科目よりも後に受診すべき前記他の健診科目の端末を示す端末指定情報を記憶する記憶手段を備えた端末で読み取り実行可能なプログラムであって、前記端末を、前記他の健診科目の端末と通信する端末間通信手段と、前記端末が前記健診科目用の装置として動作する当該健診科目の健診の結果を示す健診情報の入力を受け付ける健診情報入力手段と、前記端末が前記健診科目用の装置として動作する当該健診科目よりも後に受診すべき前記他の健診科目の端末から、当該他の健診科目の健診の結果を示す健診情報と前記健診情報入力手段により入力を受け付けた健診情報とを前記記録媒体に記録させるべく、前記記憶手段に記憶されている端末指定情報により示される前記他の健診科目の端末に、前記端末間通信手段による通信を用いて、前記健診情報入力手段により入力を受け付けた健診情報を送信する端末送信手段として機能させることを特徴とする。
【手続補正７】
【補正対象書類名】明細書
【補正対象項目名】００１４
【補正方法】変更
【補正の内容】
【００１４】
本発明によれば、端末が、健診科目用の装置として動作する当該健診科目よりも後に受診すべき他の健診科目の端末から、当該他の健診科目の健診の結果を示す健診情報と、入力を受け付けた、当該健診科目用の装置として動作する当該健診科目の健診情報とを記録媒体に記録させるべく、当該他の健診科目の端末に、当該入力を受け付けた健診情報を送信することができる。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】